(57)【要約】【課題】オンデマンドの時計用表示装置を提供する。【解決手段】時分を表示するために配置されている表示装置は、時計のムーブメントのキャノンピニオン１'と筒車１''とによって別々に駆動される二つのカム３'及び９'を有する。バネ６及び１１によって待機位置に保持されるレバー５及び１０は、対応する時計の外側に配置された押しボタン７によってオンデマンドに手動で稼動されることで、各歯竿４'及び１２'の指４及び１２がカム３'及び９'にそれぞれ隣接するまで、歯竿４'及び１２'をその軸上で回転させる。歯竿は回転している間に時分を示す針を支持するピニオン１'及び１'''を駆動する。【選択図】図２
2009145155.tif 000002
【特許請求の範囲】
【請求項１】
時間又は時計の機能を示す部材の表示を制御する時計のムーブメントの基礎歯車によって駆動される時計用オンデマンド表示装置であって、
基礎歯車（１）と、基礎歯車（１）によって駆動されるカム（３'）と、時計の外側から操作可能な押しボタン（７）と、バネ（６）と、バネ（６）によって待機位置に保持されるレバー（５）と、歯竿（４'）と、時間又は時計の機能を示す部材を支持するピニオン（１'）とを有し、
待機位置にあるレバー（５）が押しボタン（７）によって駆動されることで、レバー（５）は歯竿（４'）の指（４）がカム（３'）に隣接するまで歯竿（４'）をその軸上で回動させ、回動している歯竿はピニオン（１'）を駆動し、カム（３'）は表示される一連の値に対応する形状を有する装置。
【請求項２】
基礎歯車（１）が分の表示を制御するキャノンピニオンであり、筒車である時計の第二の基礎歯車（１''）が第二のカム（９'）を駆動し、バネ（１１）によって待機位置に保持されているレバー（１０）が二つのレバー（５、１０）を同時に制御する押しボタン（７）によって手動で稼動されることで、第二の歯竿（１２'）の指（１２）がカム（９'）に隣接するまで第二の歯竿（１２'）をその軸上で回動させ、歯竿（１２'）は回動している間に表示部材を支持するピニオン（１'''）を駆動し、カム（３'、９'）は表示される一連の分又は時に対応する形状をそれぞれ有する請求項１に記載の装置。
【請求項３】
基礎歯車（１、１''）は設定車（１、８）とカム（３'、９'）に固定された歯車（５、９）とを介してカム（３'、９'）へと回転運動を伝達し、基礎歯車（１、１''）は１時間及び２４時間でそれぞれ一回転する請求項１に記載の装置。
【請求項４】
時間を示す部材が、針、ディスク、又は秒、分、時、日、週、月、月相、年など若しくは時計の機能に関するデータを表示するために設置されたあらゆる装置である請求項１に記載の装置。
【請求項５】
ピニオン（１'、１'''）が同心で、それぞれ針を支持するピニオン（１'及び１'''）の同心軸の両側に配置された歯竿（４'及び１２'）によって駆動される請求項２に記載の装置。
【請求項６】
レバー（５及び１０）が待機位置にある時、時計の二つの針が正午を指す位置にある請求項５に記載の装置。
【発明の詳細な説明】
【技術分野】
【０００１】
本発明は時計、特に時計の表示装置に関する。
【背景技術】
【０００２】
従来技術において多くの時計用表示装置、特に、通常文字盤についている適切な目盛りと対向する表示部材の連続又は跳躍駆動によって情報を表示するための装置が知られている。尚、これらの表示装置はよく知られているので文献を列挙しない。
【発明の開示】
【発明が解決しようとする課題】
【０００３】
従来式の時間などを常に表示する時計用表示装置を改良する。
【課題を解決するための手段】
【０００４】
本発明は、時計用のオンデマンド表示装置であり、該装置は時間を示す部材の表示を制御する時計のムーブメントの基礎歯車によって駆動される。時計のムーブメントの基礎歯車とは、針、ディスク又はあらゆる時間表示機構を装置によって制御するための全ての歯車、特に、秒、分、時、日、曜日、週、月、月相、年、又は電力残量などの時計の機能に関するあらゆる表示を制御するための全ての歯車を意味する。
【０００５】
オンデマンド表示装置は以下のことを特徴とする。基礎歯車がカムを駆動する。バネによって待機位置に保持されたレバーが時計の外側に設置された押しボタンによってオンデマンドに手動で稼動される。それによって、歯竿の指がカムに隣接するまで歯竿をその軸上で回動させる。回動している歯竿は時間又は時計の機能を示す部材を支持するピニオンを駆動する。カムは表示される一連の値に対応する構造を有している。
【０００６】
好適な実施形態においては、基礎歯車は分の表示を制御するキャノンピニオンであり、装置は時計の第二の基礎歯車によって駆動される。筒車である第二の基礎歯車は第二のカムを駆動する。同様に第二のバネで待機位置に維持されているレバーは、二つのレバーを体系的に制御する同じ押しボタンによって手動で稼動されることで、第二の歯竿の指がカムに隣接するまで第二の歯竿をその軸上で回動させる。第二の歯竿は回動している間に時間表示部材を支持するピニオンを駆動する。カムは表示される一連の分又は時に対応した形状をそれぞれ有する。
【０００７】
基礎歯車は設定車及びカムに固定された歯車によって回転運動をカムに伝達する。基礎歯車は１時間又は２４時間でそれぞれ一回転する。
【０００８】
時間表示部材は、針、ディスク、又は秒、分、時、日、曜日、週、月、月相、年など若しくは時計の機能に関するデータを表示するために配置されたあらゆる装置である。
【０００９】
歯竿によって駆動されるピニオンは同心であり、それぞれ針を支持する前記ピニオンの同心軸の両側に歯竿は配置されている。
【００１０】
歯竿を制御するレバーが待機位置にある時は、時計の二本の針は正午の位置に配置される。
【００１１】
図面は一例として時計用のオンデマンド表示装置の一実施形態を示す。
【発明を実施するための最良の形態】
【００１２】
図１に示される時計は、ケースの右に配置された竜頭と、図１のケースの左に配置された時分のオンデマンド表示を制御するための押しボタンとを有する。
【００１３】
図１及び２に示されるように、分及び時を示す針は、ケースの左に配置された押しボタンが稼動していない時は、１２時の位置に配置されている。押しボタンが押されると、装置が稼動し、図２及び３に関して以下において説明されるように時分が表示される。
【００１４】
図２及び３の左部分において、表示装置の分を表示する部分が示されており、一方で表示装置の時を表示する部分は図２及び３の右側に配置されている。オンデマンドに分を表示する時計装置の左部分を参照すると、キャノンピニオンと呼ばれる基礎歯車１があり、該基礎歯車１は一時間で一回転し、分の表示を制御することを意図していることが理解される。基礎歯車又はキャノンピニオン１は時計のムーブメントを設定車２に伝達し、該設定車２はカム３'に固定された歯車３を駆動する。歯車３とカム３'は嵌合することによって一時間で一回転する。
【００１５】
レバー５は、時計の外側からオンデマンドに手動で稼動される押しボタン７と接しているバネ６によって待機位置に保持される。押しボタン７が押されると、該押しボタン７は間接的にレバー５に作用し、該レバー５は歯竿に固定された指４がカム３に対して隣接するまで歯竿４'をその軸上で回動させる。歯竿４'のこの回動運動の間に、分針を支持するピニオン１'が時計の進度に対応する位置まで駆動される。押しボタン７に及ぼされた圧力が解除されると、レバー５は元の位置に戻って分針は１２時の位置に戻る。
【００１６】
図面の右部分を参照すると、レバー５が以下に示されるように時針の表示を制御するレバー１０に接していることが分かる。レバー５及び１０の間の接触はレバー１０の末端に配置されたピンによってなされており、ピンは押しボタン７に接するであろう。したがって、押しボタン７が作動された時、該押しボタン７はレバー１０のピンによってレバー５に作用し、結果的に二つのレバー５及び１０が同時に稼動される。
【００１７】
オンデマンドに時間を表示するための装置の左部分に関して、筒車１''はそのムーブメントを設定車８によって歯車９に伝達する。歯車９はカム９'に固定されており、したがってカム９'に固定された歯車９と同時に筒車１''は２４時間で一回転する。
【００１８】
バネ１１によって待機位置に保持されているレバー１０は、押しボタン７によってレバー５と同時に駆動される。時計の外側から押しボタン７への表示の要求は、歯竿１２'をその軸上で回動させるレバー１０に作用し、歯竿１２'に固定されている指１２は移動してカム９'に隣接する。押しボタン７によってなされる作用の間、レバー１０は時針を支持するピニオン１'''と嵌合している歯竿１２'を回動させる。
【００１９】
時分を表示することを意図する歯竿の指４及び１２がそれぞれカム３'及び９'に接している時、時計は時間を表示する。押しボタン７が離されると、レバー５及び１０をその待機位置に戻すバネ６及び１１の作用によって針は１２時の位置に戻る。
【００２０】
上述したように、説明された装置は時計における時分の表示に限定されない。それどころか、この装置の左及び右部分の一方又は他方は時間に関するあらゆる表示を示すのに用いることができる。したがって、秒、日、曜日、週、月、月相、又は年を表示するのみ用いることができる。また、時計の電池残量などの他の表示、又は時計の機能に関するあらゆる表示をオンデマンドで示すために用いることができる。
【図面の簡単な説明】
【００２１】
【図１】分針及び時針が１２時を示す押しボタンが押される前の時計の正面図。
【図２】押しボタンが作用すると時分をオンデマンドで表示するオンデマンド表示装置の平面図。
【図３】針を支持する重畳ピニオンを駆動するために異なる高さに配置された歯竿の構造を示す斜視図。
【符号の説明】
【００２２】
３'、９'  カム
４'、１２'  歯竿
５、１０  レバー
６、１１  バネ
７  押しボタン
【図１】
2009145155.tif 000003
【図２】
2009145155.tif 000004
【図３】
2009145155.tif 000005